(57)【要約】【課題】ケーブルが絡むのを防止でき、良好なデザインを確保できるとともに使用時に違和感を覚えることのないイヤホンを提供する。【解決手段】一対のスピーカ部２Ａ，２Ｂと、電子機器に対して接続されるジャック部６と、ジャック部６と一対のスピーカ部２Ａ，２Ｂとの間で信号を伝送する一対のケーブル１０Ａ，１０Ｂと、一対のケーブル１０Ａ，１０Ｂに沿ってスライド移動可能なスライダ２０と、を備え、一対のケーブル１０Ａ，１０Ｂは、ジャック部６側からスピーカ部２Ａ，２Ｂ側に向かってスライダ２０をスライド移動させることで係合され、スピーカ部２Ａ，２Ｂ側からジャック部６側に向かってスライダ２０をスライド移動させることで離脱される歯部１１Ａ，１１Ｂを有し、スライダ２０には、電子機器に対して信号を発信するコントローラ４０が取り付けられている。【選択図】図１
2017147571.tif 000002
【特許請求の範囲】
【請求項１】
使用者の耳に装着される一対のスピーカ部と、
電子機器に対して接続されるジャック部と、
前記ジャック部と前記一対のスピーカ部とに電気的に接続され、前記ジャック部と前記一対のスピーカ部との間で信号を伝送する一対のケーブルと、
前記一対のケーブルに沿ってスライド移動可能なスライダと、
を備え、
前記一対のケーブルは、前記ジャック部側から前記スピーカ部側に向かって前記スライダをスライド移動させることで係合され、前記スピーカ部側から前記ジャック部側に向かって前記スライダをスライド移動させることで離脱される係合部を有し、
前記スライダには、前記電子機器に対して信号を発信するコントローラが取り付けられていることを特徴とするイヤホン。
【請求項２】
前記スライダには、前記コントローラと電気的に接続された接点が設けられ、
前記一対のケーブルのうち少なくとも一方には、前記ジャック部と電気的に接続された導電部が設けられ、
前記接点は、前記スライダのスライド移動により前記導電部に摺接することを特徴とする請求項１に記載のイヤホン。
【請求項３】
前記コントローラは、音を信号に変換するマイクを備えていることを特徴とする請求項１または２に記載のイヤホン。
【請求項４】
前記係合部は、線ファスナーであることを特徴とする請求項１から３のいずれか１項に記載のイヤホン。
【請求項５】
前記コントローラの全長は、前記スライダの全長よりも長いことを特徴とする請求項１から４のいずれか１項に記載のイヤホン。
【発明の詳細な説明】
【技術分野】
【０００１】
本発明は、イヤホンに関する。
【背景技術】
【０００２】
例えば、オーディオ機器等の電子機器から発せられる音楽や再生音声を聴くために、イヤホンが用いられる。一般に、イヤホンは、使用者の耳に装着されるスピーカ部と、電子機器に対して接続されるジャック部と、ジャック部とスピーカ部との間で信号を伝送するためのケーブルと、を備えている。ケーブルは、長尺となっており、搬送時や収納時に非常に絡まりやすいため、使用者にとって煩わしいことがある。
【０００３】
このような煩わしさを改善するために、例えば特許文献１から５には、一対のケーブルにいわゆる線ファスナーを採用したイヤホンが記載されている。特許文献１から５に記載の技術によれば、線ファスナーを結合することで一対のケーブルが互いに絡むのを防止できるので、使用者の煩わしさを解消できるとされている。
【０００４】
ところで、近年、スマートフォンやタブレット端末等、音楽や再生音声を発する機能を備えた携帯型の電子機器が普及している。音楽や再生音声を聴きつつ、スマートフォンやタブレット端末等を操作するために、リモートコントローラ（以下、単に「コントローラ」という。）を備えたイヤホンが知られている。一般に、コントローラは、イヤホンのケーブルに設けられる。また、一対のケーブルを備えたイヤホンにコントローラを適用する場合にあっては、一方のケーブルにコントローラが設けられる。
【先行技術文献】
【特許文献】
【０００５】
【特許文献１】特許第５３２７７６４号公報
【特許文献２】特開２０１２−１０５２６７号公報
【特許文献３】実用新案登録第３１３２９８３号公報
【特許文献４】特表２００６−５２７９３４号公報
【特許文献５】特開２００４−５６６３６号公報
【発明の概要】
【発明が解決しようとする課題】
【０００６】
しかしながら、コントローラが一方のケーブルに設けられるため、ケーブルの全体にわたって線ファスナーを設けることができない。したがって、従来のコントローラを備えたイヤホンにあっては、ケーブルが絡みやすいとの課題が残されている。また、一方のケーブルにコントローラが設けられるため、非対象なデザインとなり外観の向上という点でも課題が残されている。さらに、一方のケーブルにコントローラが設けられるため、使用者がイヤホンを装着したときの重量バランスが悪く、違和感を覚えるおそれがある。
【０００７】
本発明は上記事情に鑑みてなされたもので、ケーブルが絡むのを防止でき、良好なデザインを確保できるとともに、使用時に違和感を覚えることのないイヤホンの提供を目的としている。
【課題を解決するための手段】
【０００８】
上記課題を解決して係る目的を達成するために、本発明に係るイヤホンは、使用者の耳に装着される一対のスピーカ部と、電子機器に対して接続されるジャック部と、前記ジャック部と前記一対のスピーカ部とに電気的に接続され、前記ジャック部と前記一対のスピーカ部との間で信号を伝送する一対のケーブルと、前記一対のケーブルに沿ってスライド移動可能なスライダと、を備え、前記一対のケーブルは、前記ジャック部側から前記スピーカ部側に向かって前記スライダをスライド移動させることで係合され、前記スピーカ部側から前記ジャック部側に向かって前記スライダをスライド移動させることで離脱される係合部を有し、前記スライダには、前記電子機器に対して信号を発信するコントローラが取り付けられていることを特徴としている。
【０００９】
本発明によれば、一対のケーブルは、ジャック部側からスピーカ部側に向かってスライダをスライド移動させることで係合され、スピーカ部側からジャック部側に向かってスライダをスライド移動させることで離脱される係合部を有するので、ジャック部側からスピーカ部側に向かってスライダをスライド移動させることで、一対のケーブルを互いに係合させて一体化することができる。したがって、一対のケーブルが互いに絡むのを防止できる。
また、一対のケーブルに沿ってスライド移動可能なスライダには、電子機器に対して信号を発信するコントローラが取り付けられているので、一体化された一対のケーブルに沿うようにコントローラを配置できる。これにより、イヤホンの外観が略対称となるので良好なデザインを確保できる。
さらに、コントローラは、一体化された一対のケーブルに沿うように配置されるので、イヤホンの一対のスピーカ部を使用者の耳に装着したときに、コントローラの重量を一対のケーブルおよび使用者の両耳で支持できる。したがって、使用者は、違和感を覚えることなく快適に使用できる。
【００１０】
また、前記スライダには、前記コントローラと電気的に接続された接点が設けられ、前記一対のケーブルのうち少なくとも一方には、前記ジャック部と電気的に接続された導電部が設けられ、前記接点は、前記スライダのスライド移動により前記導電部に摺接することを特徴としている。
【００１１】
本発明によれば、スライダの接点は、スライダのスライド移動によりケーブルに設けられた導電部に摺接するので、余計な配線を設けることなく、コントローラにより電子機器に対して信号を発信して電子機器を操作することができる。しかも、接点は、スライダのスライド移動により導電部に摺接するので、コントローラが取り付けられたスライダを所望の位置に配置した状態で、電子機器を操作できる。したがって、コントローラの操作性に優れたイヤホンとすることができる。
【００１２】
また、前記コントローラは、音を信号に変換するマイクを備えていることを特徴としている。
【００１３】
本発明によれば、使用者は、コントローラが取り付けられたスライダを所望の位置に移動させて、コントローラのマイクに対して発声することができる。したがって、コントローラの操作性に優れたイヤホンとすることができる。
【００１４】
また、前記係合部は、線ファスナーであることを特徴としている。
【００１５】
本発明によれば、係合部は、線ファスナーであるので、スライダをスライド移動するだけで容易に一対のケーブルを係合および離脱させることができる。したがって、操作性に優れたイヤホンとすることができる。
【００１６】
また、前記コントローラの全長は、前記スライダの全長よりも長いことを特徴としている。
【００１７】
本発明によれば、コントローラの全長は、スライダの全長よりも長いので、コントローラを把持して容易にスライダをスライド移動させることができる。したがって、操作性に優れたイヤホンとすることができる。
【発明の効果】
【００１８】
本発明によれば、一対のケーブルは、ジャック部側からスピーカ部側に向かってスライダをスライド移動させることで係合され、スピーカ部側からジャック部側に向かってスライダをスライド移動させることで離脱される係合部を有するので、ジャック部側からスピーカ部側に向かってスライダをスライド移動させることで、一対のケーブルを互いに係合させて一体化することができる。したがって、一対のケーブルが互いに絡むのを防止できる。
また、ケーブルに沿ってスライド移動可能なスライダには、電子機器に対して信号を発信するコントローラが取り付けられているので、一体化された一対のケーブルに沿うようにコントローラを配置できる。これにより、イヤホンの外観が略対称となるので良好なデザインを確保できる。
さらに、コントローラは、一体化された一対のケーブルに沿うように配置されるので、イヤホンの一対のスピーカ部を使用者の耳に装着したときに、コントローラの重量を一対のケーブルおよび使用者の両耳で支持できる。したがって、使用時に違和感を覚えることなく、快適に使用できる。
【図面の簡単な説明】
【００１９】
【図１】本発明のイヤホンの外観斜視図である。
【図２】ジャック部の拡大図である。
【図３】一対のケーブルおよびスライダの拡大図である。
【図４】スライダおよびコントローラの拡大図である。
【図５】スライダの接点の拡大図である。
【図６】他の実施形態に係るコントローラとスライダとの取付構造を示した斜視図である。
【発明を実施するための形態】
【００２０】
以下に、本発明の実施形態に係るイヤホンについて説明する。
図１は、本発明のイヤホンの外観斜視図である。
図１に示すように、本実施形態のイヤホン１は、不図示の電子機器に接続されて使用されるものである。イヤホン１が接続される電子機器としては、例えばスマートフォンやタブレット端末等の音楽や再生音声を発する機能を備えた携帯型の電子機器である。
【００２１】
実施形態のイヤホン１は、一対のスピーカ部２Ａ，２Ｂと、ジャックユニット５と、一対のケーブル１０Ａ，１０Ｂと、スライダ２０と、コントローラ４０と、を主に備えている。以下に、各構成の詳細について説明する。
一対のスピーカ部２Ａ，２Ｂは、放音を行う。一対のスピーカ部２Ａ，２Ｂは、筐体にスピーカを内蔵している。一対のスピーカ部２Ａ，２Ｂは、それぞれ使用者の耳に挿入されることで使用者に装着される。一方のスピーカ部２Ａは、使用者の右耳に装着される。他方のスピーカ部２Ｂは、使用者の左耳に装着される。
【００２２】
ジャックユニット５は、ジャック部６と、ケース７と、コード８と、ケーブル固定部９とを備えている。
図２は、ジャック部の拡大図である。
図２に示すように、ジャック部６は、電子機器のインターフェースに挿入することで接続される入出力端子である。ジャック部６は、４極有しており、先端から基端に向かって、第一端子部６ａ、第二端子部６ｂ、第三端子部６ｃ、第四端子部６ｄの順番に配置されている。
第一端子部６ａは、例えば電子機器から左耳に装着されるスピーカ部２Ｂに対しての音声信号が入力される。第二端子部６ｂは、例えば電子機器から右耳に装着されるスピーカ部２Ａに対しての音声信号が入力される。第三端子部６ｃは、第一端子部６ａおよび第二端子部６ｂの共通のグランドとなっている。第四端子部６ｄは、後述するように他方のケーブル１０Ｂの歯部１１Ｂ、接点３０およびリード線３５を介してコントローラ４０と電気的に接続されており、コントローラ４０を操作した時の信号やマイク４５の信号等を電子機器に対して出力する。
【００２３】
ケース７は、例えば樹脂材料により筒状に形成されており、大径部７ａと小径部７ｂとを有している。大径部７ａは、ジャック部６を支持している。小径部７ｂは、ジャック部６と電気的に接続されたコード８の一端を支持している。
図１および図２に示すように、コード８は、内部に複数の導線を有している。コード８は、例えばゴム等によって複数の導線が被覆される線状の部材である。コード８は、後述する一対のケーブル１０Ａ，１０Ｂを介して、一対のスピーカ部２Ａ，２Ｂおよびコントローラ４０と電気的に接続されている。コード８は、一対のスピーカ部２Ａ，２Ｂおよびコントローラ４０と電子機器との間の信号を伝送する。
ケーブル固定部９は、例えば樹脂材料により形成されている。ケーブル固定部９は、一対のケーブル１０Ａ，１０Ｂのジャック部６側の端部を支持している。ケーブル固定部９は、一対のケーブル１０Ａ，１０Ｂとコード８との接続部分を被覆している。
【００２４】
以下、一対のケーブル１０Ａ，１０Ｂの構成について詳細に説明する。
図１に示すように、一対のケーブル１０Ａ，１０Ｂは、ジャック部６と一対のスピーカ部２Ａ，２Ｂとに電気的に接続されている。一対のケーブル１０Ａ，１０Ｂは、一対のスピーカ部２Ａ，２Ｂおよびコントローラ４０と電子機器との間の信号を伝送する。
一対のケーブル１０Ａ，１０Ｂは、可撓性を有しており、例えば３０ｃｍ程度の長尺に形成されている。一対のケーブル１０Ａ，１０Ｂの一端は、コード８に接続されており、ケーブル固定部９により支持されている。一対のケーブル１０Ａ，１０Ｂのうち、一方のケーブル１０Ａは、右耳に装着されるスピーカ部２Ａに接続されている。
一対のケーブル１０Ａ，１０Ｂのうち、他方のケーブル１０Ｂは、左耳に装着されるスピーカ部２Ｂに接続されている。
【００２５】
図３は、一対のケーブルおよびスライダの拡大図である。
図３に示すように、一方のケーブル１０Ａは、複数の歯部１１Ａ（請求項の「係合部」に相当。）と、複数の歯部１１Ａをケーブル１０Ａの長手方向に連結する連結部１２Ａとを有している。
複数の歯部１１Ａは、内側に突出するとともに、先端部が平面視で半円状に形成されている。歯部１１Ａの先端部は、後述する他方のケーブル１０Ｂに設けられた複数の歯部１１Ｂ間に入り込んで係合可能となっている。
複数の歯部１１Ａは、ケーブル１０Ａの長手方向に所定の幅を開けて配置される。複数の歯部１１Ａの間には、他方のケーブル１０Ｂに設けられた歯部１１Ｂの先端部が入り込んで係合可能となっている。
複数の歯部１１Ａの基端部は、連結部１２Ａによって連結されている。連結部１２Ａは、帯状に形成されており、右耳に装着されるスピーカ部２Ａへ信号を伝達するための導線が内部に配索されている。
【００２６】
他方のケーブル１０Ｂは、複数の歯部１１Ｂ（請求項の「係合部」に相当。）と、複数の歯部１１Ｂをケーブル１０Ｂの長手方向に連結する連結部１２Ｂとを有している。他方のケーブル１０Ｂの歯部１１Ｂは、一方のケーブル１０Ａの歯部１１Ａと同一の形状となって対称に配置されているため、詳細な説明を省略する。
複数の歯部１１Ｂの基端部は、連結部１２Ｂによって連結されている。連結部１２Ｂは、帯状に形成されており、左耳に装着されるスピーカ部２Ｂへ信号を伝達するための導線が内部に配索されている。
【００２７】
他方のケーブル１０Ｂの歯部１１Ｂは、例えば、導電性を有する高分子材料、いわゆる導電性高分子により形成されている。具体的に歯部１１Ｂを形成する材料としては、例えばポリプロピレンやポリスチレン等の樹脂材料に銀粉やグラフェン、カーボン粉末等を含有させた導電性高分子の樹脂材料である。また、廉価な樹脂材料の表面に導電性高分子を塗布することにより、歯部１１Ｂを形成してもよい。なお、歯部１１Ｂを形成する材料としては、上記に限定されることはなく、例えば金やプラチナ、アルミニウム等の金属材料であってもよい。また、樹脂材料の表面に金やプラチナ等の金属材料でメッキを施すことにより、歯部１１Ｂを形成してもよい。他方のケーブル１０Ｂの歯部１１Ｂは、他方のケーブル１０Ｂの端部において不図示の導線によりジャック部６と電気的に接続される。これにより、他方のケーブル１０Ｂの歯部１１Ｂは、ジャック部６と電気的に接続された導電部１５となっている。
【００２８】
図４は、スライダおよびコントローラの拡大図である。
スライダ２０は、スライダ本体２１と、コントローラ取付部２５と、を有している。
スライダ本体２１は、一対の本体板部２１ａ，２１ｂと、中央壁部２２ａと、一対の側壁部２２ｂ，２２ｃと、を備えている。
一対の本体板部２１ａ，２１ｂは、平面視でスピーカ部２Ａ，２Ｂ側に膨出しており、スピーカ部２Ａ，２Ｂ側からジャック部６側に向かって、幅が漸次狭くなるように形成されている。一対の本体板部２１ａ，２１ｂは、一対のケーブル１０Ａ，１０Ｂが係脱する方向および一対のケーブル１０Ａ，１０Ｂの長手方向と直交する方向から、一対のケーブル１０Ａ，１０Ｂを挟み込むように配置されている。
【００２９】
一対の本体板部２１ａ，２１ｂの間には、中央壁部２２ａと、一対の側壁部２２ｂ，２２ｃと、が設けられている。
中央壁部２２ａは、平面視で本体板部２１ａ，２１ｂの中央部よりもスピーカ部２Ａ，２Ｂ側に設けられている。中央壁部２２ａは、一対のケーブル１０Ａ，１０Ｂの長手方向に沿うように延びている。中央壁部２２ａは、一対のケーブル１０Ａ，１０Ｂの間に配置される。
【００３０】
一対の側壁部２２ｂ，２２ｃは、平面視で本体板部２１ａ，２１ｂの中央部よりもジャック部６側に設けられている。一対の側壁部２２ｂ，２２ｃは、それぞれ一対のケーブル１０Ａ，１０Ｂの長手方向に沿うように延びている。一対の側壁部２２ｂ，２２ｃの離間距離は、スピーカ部２Ａ，２Ｂ側からジャック部６側に向かって漸次狭くなっている。一対の側壁部２２ｂ，２２ｃの最小離間距離は、一対のケーブル１０Ａ，１０Ｂが係合して一体化した時の幅と略同一となっている。
【００３１】
スライダ２０の中央壁部２２ａは、スピーカ部２Ａ，２Ｂ側からジャック部６側に向かってスライダ２０をスライド移動させることで、互いに係合された一対のケーブル１０Ａ，１０Ｂの歯部１１Ａ，１１Ｂの間に入り込む。これにより、互いに係合された一対のケーブル１０Ａ，１０Ｂの歯部１１Ａ，１１Ｂは、互いに離脱される。
また、スライダ２０の一対の側壁部２２ｂ，２２ｃは、ジャック部６側からスピーカ部２Ａ，２Ｂ側に向かってスライダ２０をスライド移動させることで、離間された一対のケーブル１０Ａ，１０Ｂの歯部１１Ａ，１１Ｂを接近させる。これにより、互いに離間された一対のケーブル１０Ａ，１０Ｂの歯部１１Ａ，１１Ｂは、互いに係合される。
このように、一対のケーブル１０Ａ，１０Ｂの歯部１１Ａ，１１Ｂは、ジャック部６側からスピーカ部２Ａ，２Ｂ側に向かってスライダ２０をスライド移動させることで係合され、スピーカ部２Ａ，２Ｂ側からジャック部６側に向かってスライダをスライド移動させることで離脱される線ファスナー１８となっている。
【００３２】
コントローラ取付部２５は、本体板部２１ａに設けられている。コントローラ取付部２５は、平面視で一対のケーブル１０Ａ，１０Ｂの長手方向に沿うように延びるとともに、両端が本体板部２１ａに接続されている。コントローラ取付部２５は、例えば一対のケーブル１０Ａ，１０Ｂが係脱する方向に開口する長円形状の開口部２５ａを有する。コントローラ取付部２５の開口部２５ａには、後述するコントローラ４０の一端部４０ａが挿通されてコントローラ４０が取り付けられている。
【００３３】
図５は、スライダの接点の拡大図である。
図５に示すように、スライダ２０には、接点３０が設けられている。接点３０は、スライダ本体２１における一対の本体板部２１ａ，２１ｂの間に設けられている。具体的に接点３０は、一方の本体板部２１ａに設けられた第一接点３１と、他方の本体板部２１ｂに設けられた第二接点３２と、により構成されている。
第一接点３１は、一方の本体板部２１ａに取り付けられており、他方の本体板部２１ｂに向かって膨出するように設けられている。第二接点３２は、他方の本体板部２１ｂに取り付けられており、一方の本体板部２１ａに向かって膨出するように設けられている。第一接点３１および第二接点３２、例えば薄板の銅等の金属材料を湾曲させることにより形成されている。
【００３４】
第一接点３１と第二接点３２との離間寸法は、他方のケーブル１０Ｂの歯部１１Ｂ（すなわち導電部１５）の厚さ寸法よりも小さくなっている。これにより、第一接点３１と第二接点３２とは、スライダ２０のスライド移動により導電部１５に摺接する。なお、第一接点３１と第二接点３２とは、例えばケーブル１０Ｂの歯部１１Ｂの側面に溝を設け、この溝に沿うように移動しながら導電部１５に摺接する構成とされてもよい。
【００３５】
第一接点３１からは、リード線３５が引き出されている。リード線３５は、例えば銅等の金属材料の撚線が絶縁材料により被覆されて形成されている。リード線３５は、スライダ本体２１やコントローラ取付部２５に設けられた連通孔やスリット等を通じて、コントローラ４０と接続されている。リード線３５は、スライダ２０に設けられた連通孔やスリットに収納されており、外部に露出しない構成となっていてもよい。なお、図１および図３から図５の各図面においては、分かり易くするために、リード線３５がスライダ２０の外部に露出された状態を記載している。
【００３６】
コントローラ４０は、イヤホン１の制御ユニットであり、第一操作ボタン４１と、第二操作ボタン４２と、第三操作ボタン４３と、マイク４５と、を有している。コントローラ４０は、ケーブル１０Ａ，１０Ｂの長手方向に沿うように延びる直方体状に形成されている。コントローラ４０の全長は、スライダ２０の全長よりも長くなっており、使用者が容易に把持できるようになっている。コントローラ４０の一端部４０ａは、スライダ２０に対して回動可能に取り付けられている。コントローラ４０の他端部４０ｂは、自由端となっている。
【００３７】
第一操作ボタン４１、第二操作ボタン４２および第三操作ボタン４３は、コントローラ４０の表面に配置される。
第一操作ボタン４１は、コントローラ４０の一端部４０ａに設けられている。第一操作ボタン４１は、表面に「＋」の文字が付されている。使用者は、第一操作ボタン４１を押圧することにより、例えば一対のスピーカ部２Ａ，２Ｂが発する音量を上昇させることができる。
第二操作ボタン４２は、コントローラ４０の他端部４０ｂに設けられている。第二操作ボタン４２は、表面に「−」の文字が付されている。使用者は、第二操作ボタン４２を押圧することにより、例えば一対のスピーカ部２Ａ，２Ｂが発する音量を低下させることができる。
第三操作ボタン４３は、第一操作ボタン４１と第二操作ボタン４２との間に設けられている。使用者は、第三操作ボタン４３を押圧することにより、例えば電子機器により再生される音楽の曲の選定や、再生、停止、通話の開始・停止等を行うことができる。
コントローラ４０の内部には、マイク４５が設けられている。マイク４５は、例えばスマートフォン等の電子機器を介して通話を行う際に、使用者の音声等の音を信号に変換する。
【００３８】
上述したイヤホン１は、次のように使用される。
すなわち、イヤホン１の搬送時や収容時等においては、使用者は、ジャック部６側からスピーカ部２Ａ，２Ｂ側に向かってスライダ２０をスライド移動させる。これにより、一対のケーブル１０Ａ，１０Ｂは、歯部１１Ａ，１１Ｂが互いに係合されて一体化するので、一対のケーブル１０Ａ，１０Ｂが互いに絡むのが防止される。
また、イヤホン１の使用時においては、使用者は、スピーカ部２Ａ，２Ｂ側からジャック部６側に向かってスライダ２０をスライド移動させる。これにより、一対のケーブル１０Ａ，１０Ｂは、歯部１１Ａ，１１Ｂが互いに離脱されて二又となる。したがって、使用者は、自身の耳にスピーカ部２Ａ，２Ｂを挿入してイヤホン１を容易に装着できる。さらに、例えば電子機器がスマートフォンである場合、使用者は、電話による通話時にスライダ２０をスライド移動させることにより、コントローラ４０のマイク４５を所望の位置に配置できる。
【００３９】
本実施形態のイヤホン１によれば、一対のケーブル１０Ａ，１０Ｂは、ジャック部６側からスピーカ部２Ａ，２Ｂ側に向かってスライダ２０をスライド移動させることで係合され、スピーカ部２Ａ，２Ｂ側からジャック部６側に向かってスライダ２０をスライド移動させることで離脱される歯部１１Ａ，１１Ｂを有するので、ジャック部６側からスピーカ部２Ａ，２Ｂ側に向かってスライダ２０をスライド移動させることで、一対のケーブルを互いに係合させて一体化することができる。したがって、例えば搬送時や収納時において、一対のケーブル１０Ａ，１０Ｂを互いに係合させることにより、一対のケーブル１０Ａ，１０Ｂが互いに絡むのを防止できる。
また、一対のケーブル１０Ａ，１０Ｂに沿ってスライド移動可能なスライダ２０には、電子機器に対して信号を発信するコントローラ４０が取り付けられているので、一体化された一対のケーブル１０Ａ，１０Ｂに沿うようにコントローラ４０を配置できる。これにより、イヤホン１の外観が略対称となるので良好なデザインを確保できる。
さらに、コントローラ４０は、一体化された一対のケーブル１０Ａ，１０Ｂに沿うように配置されるので、イヤホン１の一対のスピーカ部２Ａ，２Ｂを使用者の耳に装着したときに、コントローラ４０の重量を一対のケーブル１０Ａ，１０Ｂおよび使用者の両耳で支持できる。したがって、使用者は、違和感を覚えることなく、快適に使用できる。
【００４０】
また、スライダ２０の接点３０は、スライダ２０のスライド移動により他方のケーブル１０Ｂに設けられた導電部１５に摺接するので、余計な配線を設けることなく、コントローラ４０により電子機器に対して信号を発信して電子機器を操作することができる。しかも、接点３０は、スライダ２０のスライド移動により導電部１５に摺接するので、コントローラ４０が取り付けられたスライダ２０を所望の位置に配置した状態で、電子機器を操作できる。したがって、コントローラ４０の操作性に優れたイヤホン１とすることができる。
【００４１】
また、使用者は、コントローラ４０が取り付けられたスライダ２０を所望の位置に移動させて、コントローラ４０のマイク４５に対して発声することができる。したがって、コントローラ４０の操作性に優れたイヤホン１とすることができる。
【００４２】
また、一対のケーブル１０Ａ，１０Ｂの歯部１１Ａ，１１Ｂは、線ファスナーであるので、スライダ２０をスライド移動するだけで、容易に一対のケーブル１０Ａ，１０Ｂを係合および離脱させることができる。したがって、操作性に優れたイヤホン１とすることができる。
【００４３】
また、コントローラ４０の全長は、スライダ２０の全長よりも長いので、コントローラ４０を把持して容易にスライダ２０をスライド移動させることができる。したがって、操作性に優れたイヤホン１とすることができる。
【００４４】
なお、本発明の技術範囲は上記の実施形態に限られるものではなく、本発明の趣旨を逸脱しない範囲において種々の変更を加えることが可能である。
【００４５】
上述した実施形態では、コントローラ４０が第一操作ボタン４１、第二操作ボタン４２および第三操作ボタン４３を備えていたが、この態様に限定されない。操作ボタンの個数や機能は上述の実施形態に限定されることはなく、種々変更が可能である。また、コントローラ４０の表面に、例えば電子機器の情報（例えば、電子機器により発信される音楽の曲名等）を表示する表示部を設けてもよい。
【００４６】
上述した実施形態では、他方のケーブル１０Ｂの歯部１１Ｂに導電部１５を設けたが、一方のケーブル１０Ａの歯部１１Ａに導電部１５を設けてもよい。また、一対のケーブル１０Ａ，１０Ｂの連結部１２Ａ，１２Ｂのうち少なくとも一方に導電部１５を設ける構成としてもよい。
【００４７】
上述した実施形態では、一方のケーブル１０Ａの歯部１１Ａの先端部が他方のケーブル１０Ｂの歯部１１Ｂ間に入り込み、他方のケーブル１０Ｂの歯部１１Ｂの先端部が一方のケーブル１０Ａの歯部１１Ａ間に入り込むことで互いに係合する線ファスナー１８となっていたが、これに限定されない。したがって、例えば、一対のケーブル１０Ａ，１０Ｂの一方に、長手方向に延在する凹溝を設け、他方に、長手方向に延在する凸条を設け、凹溝に凸条が入り込むことで互いに係合する構成としてもよい。
【００４８】
図６は、他の実施形態に係るコントローラとスライダとの取付構造を示した斜視図である。
コントローラ４０とスライダ２０との取り付け構造は上述の実施形態に限定されない。上述した実施形態のコントローラ取付部２５は、平面視で一対のケーブル１０Ａ，１０Ｂの長手方向に沿うように延びるとともに、両端が本体板部２１ａに接続されており、長円形状の開口部２５ａを有していた（図４参照）。
これに対して、例えば図６に示すように、コントローラ４０の一端部４０ａを二又に形成するとともに互いに対向する位置に一対の軸部４７，４７を設け、コントローラ取付部２５に設けた孔に軸部４７，４７を回動可能に係合する構成としてもよい。また、リード線３５をスライダ２０に設けられた連通孔やスリットに収納し、外部に露出しない構成としてもよい。この構成によれば、一対の軸部４７，４７の中心軸Ｐ周りに回動可能にコントローラ４０を設けることができる。これにより、コントローラ４０は、スライダ２０への引っ掛かりが防止されて滑らかに回動できるので、耐久性を向上することができる。また、コントローラ取付部２５の孔が外部に露出しないので、優れたデザイン性を確保できる。また、リード線３５をスライダ２０に設けられた連通孔やスリットに収納することで、リード線３５が他部と引っ掛かるのを防止できるとともに、優れたデザイン性を確保できる。
【００４９】
その他、本発明の趣旨を逸脱しない範囲で、上記した実施の形態における構成要素を周知の構成要素に置き換えることは適宜可能である。
【符号の説明】
【００５０】
１  イヤホン
２Ａ，２Ｂ  スピーカ部
６  ジャック部
１０Ａ，１０Ｂ  ケーブル
１１Ａ，１１Ｂ  歯部（係合部）
１５  導電部
１８  線ファスナー
２０  スライダ
３０  接点
３１  第一接点（接点）
３２  第二接点（接点）
４０  コントローラ
４５  マイク
【図１】
2017147571.tif 000003
【図２】
2017147571.tif 000004
【図３】
2017147571.tif 000005
【図４】
2017147571.tif 000006
【図５】
2017147571.tif 000007
【図６】
2017147571.tif 000008